(57)【要約】【課題】例えば、伸縮足場板において使用した場合に、足場板を繰り返し使用しても、形材同士の平行が保持され、足場板全体が大きく揺れることがないリベット止め装置およびこれを用いた伸縮足場板を提供する。【解決手段】リベット１３は、中空状リベット本体２１およびマンドレル２２からなり、マンドレル２２を引き上げることにより、リベット本体２１のフランジ部２１ｂと塑性変形させられた軸部２１ａとによって両部材９，１０が締結されるものである。一方の部材９の反重ね側面のリベット挿通用孔１８周縁に、リベット１３の塑性変形させられた軸部２１ａに係合する凸部２０が設けられている。【選択図】    図３
2004316706.tif 000002
【特許請求の範囲】
【請求項１】
リベット挿通用孔（１８）（１９）をそれぞれ有し互いに重ねられた第１の部材（９）と第２の部材（１０）とをリベット（１３）を用いて締結するための装置であって、いずれか一方の部材（９）の反重ね側面のリベット挿通用孔（１８）周縁に、リベット（１３）の塑性変形させられた軸部（２１ａ）に係合する凸部（２０）が設けられていることを特徴とするリベット止め装置。
【請求項２】
リベット（１３）は、軸部（２１ａ）およびその一端部に設けられたフランジ部（２１ｂ）からなる中空状リベット本体（２１）と、リベット本体（２１）の他端部に当接するフランジ部（２２ａ）を有しリベット本体（２１）に挿通されたマンドレル（２２）とからなり、マンドレル（２２）を引き上げることにより、マンドレル（２２）が中間部で破断するとともにリベット本体（２１）のフランジ部（２１ｂ）と塑性変形させられた軸部（２１ａ）とによって両部材（９）（１０）が締結されるものである請求項１のリベット止め装置。
【請求項３】
凸部（２０）が形成されている部材（９）が押出形材製とされており、凸部（２０）は、形材の全長にわたって形成されている請求項１または２のリベット止め装置。
【請求項４】
１対の足場板構成部材（２）（３）からなり、各足場板構成部材（２）（３）が、幅方向に間隙をおいて並列状に並べられた横断面略方形の形材（６）（６Ａ）（９）（９Ａ）と、一端部に設けられた形材結合用兼端部閉鎖用カバー（７）（１０）と、他端部に設けられた形材結合用兼案内用枠部材（８）（１１）とから構成されるとともに、第１足場板構成部材（２）の形材（６）（６Ａ）が第２足場板構成部材（３）の形材（９）（９Ａ）間に長さ方向スライド自在に介在されている伸縮足場板であって、
各足場板構成部材（２）（３）の各形材（６）（６Ａ）（９）（９Ａ）の上下壁と各カバー（７）（１０）および各枠部材（８）（１１）の上下壁とが、請求項１、２または３のリベット止め装置によってそれぞれ固定されていることを特徴とする伸縮足場板。
【発明の詳細な説明】
【０００１】
【発明の属する技術分野】
この発明は、２つの部材をリベットを使用して締結する際に有用なリベット止め装置およびこれを用いた伸縮足場板に関する。
【０００２】
【従来の技術】
１対の足場板構成部材からなり、各足場板構成部材が、幅方向に間隙をおいて並列状に並べられた横断面略方形の形材と、一端部に設けられた形材結合用兼端部閉鎖用カバーと、他端部に設けられた形材結合用兼案内用枠部材とから構成されるとともに、第１足場板構成部材の形材が第２足場板構成部材の形材間に長さ方向スライド自在に介在されている伸縮足場板は、従来より知られており、単独で仮設足場などで使用されたり、両端部に脚が設けられて台馬として使用されたりしている（特許文献１および特許文献２参照）。
【０００３】
従来の伸縮足場板では、各足場板構成部材の各形材の上下壁と各カバーおよび各枠部材の上下壁とは、それぞれリベット止めされている。
【０００４】
【特許文献１】
特開平８−２８０３４号公報
【０００５】
【特許文献２】
特開２００１−１８２３１３号公報
【０００６】
【発明が解決しようとする課題】
上記従来の伸縮足場板では、新品時には、リベット止めによって部材同士が所定の締結力で結合されているので、カバーに対して、形材が動くことはないが、繰り返し使用により、リベットが形材のリベット挿通孔内で回転可能となるのに伴い、カバーに対する形材の動きが生じ、この結果、形材同士の平行が保持されなくなったり、足場板全体が横方向に大きく揺れるという問題があった。
【０００７】
この発明の目的は、例えば、上記伸縮足場板において使用した場合に、足場板を繰り返し使用しても、形材同士の平行が保持され、足場板全体が大きく揺れることがないリベット止め装置およびこれを用いた伸縮足場板を提供することにある。
【０００８】
【課題を解決するための手段および発明の効果】
この発明によるリベット止め装置は、リベット挿通用孔をそれぞれ有し互いに重ねられた第１の部材と第２の部材とをリベットを用いて締結するための装置であって、いずれか一方の部材の反重ね側面のリベット挿通用孔周縁に、リベット本体の塑性変形させられた軸部に係合する凸部が設けられていることを特徴とするものである。
【０００９】
リベットは、軸部およびその一端部に設けられたフランジ部からなる中空状リベット本体と、リベット本体の他端部に当接するフランジ部を有しリベット本体に挿通されたマンドレルとからなり、マンドレルを引き上げることにより、マンドレルが中間部で破断するとともにリベット本体のフランジ部と塑性変形させられた軸部とによって両部材が締結されるものとされることが好ましい。リベット本体およびマンドレルの材質は、締結される部材に応じて、アルミニウム、スチール、ステンレス鋼などから適宜選択される。このリベットは、ポップリベット、ブラインドリベットなどと称されている公知のもので、変形前には、リベット本体のフランジ部の径は、リベット挿通用孔の径より大きくなされ、また、マンドレルのフランジ部の径は、リベット挿通用孔の径より小さくなされている。そして、リベット本体のフランジ部を一方の部材に押し当ててリベット本体の軸部を両部材のリベット挿通用孔に挿通した後、専用ツールを使用してマンドレルを引き上げていくと、リベット本体の軸部が偏平状に変形させられ、両部材は、リベット本体のフランジ部と変形した軸部とによって挟持される。この際の挟持力は所定の値に設定され、リベット本体のフランジ部および軸部との間に軸方向の力が作用した状態で、両部材が締結される。
【００１０】
リベット本体は、締結される部材がアルミニウムかステンレス鋼かなどにかかわらず、アルミニウム等の軟らかい材質が好ましく、このようにすることにより、リベットの軸部が被締結部材の凸部になじみやすく、締結力も向上する。
【００１１】
リベット止め部分に繰り返し力が掛かると、リベットの軸方向の力は次第に減少し、従来のリベット止めでは、リベットの軸を中心とする部材間の回転を阻止することができなくなっていたが、この発明によるリベット止め装置では、いずれか一方の被締結部材の凸部とリベット本体の軸部とが係合していることにより、このような回転を防止することができ、その締結力も保持される。
【００１２】
凸部が形成されている部材が押出形材製とされており、凸部は、形材の全長にわたって形成されていることが好ましい。このようにすると、凸部の長さ方向の所定位置にリベット挿通用孔をあけると、リベット挿通用孔の周縁にリベットの軸部と係合する凸部が存在することになり、形材の長さ方向の任意の位置において容易にリベット止めを実施することができる。
【００１３】
この発明による伸縮足場板は、１対の足場板構成部材からなり、各足場板構成部材が、幅方向に間隙をおいて並列状に並べられた横断面略方形の形材と、一端部に設けられた形材結合用兼端部閉鎖用カバーと、他端部に設けられた形材結合用兼案内用枠部材とから構成されるとともに、第１足場板構成部材の形材が第２足場板構成部材の形材間に長さ方向スライド自在に介在されている伸縮足場板であって、各足場板構成部材の各形材の上下壁と各カバーおよび各枠部材の上下壁とが、上記のリベット止め装置によってそれぞれ固定されていることを特徴とするものである。
【００１４】
この発明による伸縮足場板は、仮設足場などで使用されるほか、伸縮足場板の前後両端部に折り畳み可能な伸縮脚を設けることにより、台馬と称される作業台として使用されることもある。
【００１５】
この発明の伸縮足場板によると、各足場板構成部材の各形材の上下壁と各カバーおよび各枠部材の上下壁とが、それぞれ上記のリベット止め装置によって固定されているので、形材がリベットを中心として回転することが防止され、したがって、繰り返し使用しても、形材同士の平行が常に保持され、足場板全体が横方向に大きく揺れることがない。
【００１６】
【発明の実施の形態】
この発明の実施の形態を、以下図面を参照して説明する。以下の説明において、前後、左右および上下は、図１を基準とし、同図の左右を左右、同図の手前側を前、向こう側を後というものとする。
【００１７】
図１から図３までは、この発明によるリベット止め装置（１２）を伸縮足場板（１）に適用した形態を示している。
【００１８】
伸縮足場板（１）は、長手方向（左右方向）に相対移動可能な第１および第２足場板構成部材（２）（３）と、第２足場板構成部材（３）に設けられて第１足場板構成部材（２）に対する第２足場板構成部材（３）の長手方向移動を使用時に阻止し伸縮作業時に許容するロック装置（５）とからなる。
【００１９】
第１足場板構成部材（２）は、１つの形材（６）の幅分の間隔をおいて前後に複数列並べられた並列状形材（６）（６Ａ）と、並列状形材（６）（６Ａ）の左端部に設けられた形材結合用兼端部閉鎖用カバー（７）と、並列状形材の右端部に設けられた形材結合用兼案内用枠部材（８）とからなり、第２足場板構成部材（３）は、１つの形材（９）の幅分の間隔をおいて前後に複数列並べられた並列状形材（９）（９Ａ）と、並列状形材（９）（９Ａ）の右端部に設けられた形材結合用兼端部閉鎖用カバー（１０）と、並列状形材（９）の左端部に設けられた形材結合用兼案内用枠部材（１１）とからなる。
【００２０】
各足場板構成部材（２）（３）の各形材（６）（６Ａ）（９）（９Ａ）の上下壁は、カバー（７）（１０）および枠部材（８）（１１）にそれぞれその端部をリベット装置（１２）により締結されている。
【００２１】
第１足場板構成部材（２）の枠部材（８）は、第１足場板構成部材（２）の前縁部に配置された形材（６Ａ）との間に第２足場板構成部材（３）の前縁部に配置された形材（９Ａ）が通過できる間隔をあけるように形成されており、第２足場板構成部材（３）の枠部材（１１）は、第２足場板構成部材（３）の後縁部に配置された形材（９）との間に第１足場板構成部材（２）の後縁部に配置された形材（６）が通過できる間隔をあけるように形成されている。第１足場板構成部材（２）の枠部材（８）の後縁部には、第２足場板構成部材（３）の後縁部に配置された形材（９）を案内するガイド部（８ａ）が設けられており、第２足場板構成部材（３）の枠部材（１１）の前縁部には、第１足場板構成部材（２）の前縁部に配置された形材（６Ａ）を案内するガイド部（１１ａ）が設けられている。これにより、２つの足場板構成部材（２）（３）は、一方の足場構成部材（２）の形材（６）（６Ａ）と他方の足場構成部材（３）の形材（９）（９Ａ）とが若干の間隙をおいて対向した状態で、これらの対向面および枠部材（８）（１１）の内面を案内面とし、互いに長手方向に移動可能とされている。
【００２２】
各形材（６）（６Ａ）（９）（９Ａ）は、アルミニウム合金製の押出形材であり、第１足場板構成部材（２）の前縁部形材（６Ａ）以外の全ての形材（６）（９）（９Ａ）は、断面が方形の中空状とされている。
【００２３】
各足場板構成部材（２）（３）のカバー（７）（１０）は、幅方向を押し出し方向とする押出形材で形成されており、これらのカバー（７）（１０）は、同じ形状であり、第２足場板構成部材（３）のカバー（１０）について、図２を参照して説明する。同図に拡大して示しているように、カバー（１０）は、上壁（１４ａ）、下壁（１４ｂ）および垂直壁（１４ｃ）からなる横断面コの字状の形材差込み部（１４）を有しており、形材差込み部（１４）の上壁（１４ａ）および下壁（１４ｂ）には、前後方向（足場板の幅方向）にのびるそれぞれ２列のリベット貫通用凹所（１５）が形成されている。この凹所（１５）の左右幅は、リベット（１３）のフランジ部の径にほぼ等しく形成されており、これにより、リベット止め時のリベット（１３）の足場板長さ方向の位置決めがしやすいものとなっている。形材差込み部（１４）の垂直壁（１４ｃ）には、上下２つのタッピンねじ挿入部（１６）が形成されており、また、上壁（１４ａ）の垂直壁（１４ｃ）近くの下面および下壁（１４ｂ）の垂直壁（１４ｃ）近くの上面には、形材（９）の端面の位置決めを行う凸条（１７）が形成されている。
【００２４】
ロック装置（５）は、ピンを使用したものであり、第２足場板構成部材（３）の枠部材（１１）の前壁を貫通したピン（５）が第１足場板構成部材（２）の前縁部形材（６Ａ）の前壁に所定間隔で設けられた複数の長さ調整用孔（６ｂ）のいずれかに挿通されることにより、足場板（１）が所定の長さで固定されている。ロック装置としては、その他の公知のものが適宜使用可能である。
【００２５】
各足場板構成部材（２）（３）の各形材（６）（６Ａ）（９）（９Ａ）の上下壁とカバー（７）（１０）および枠部材（８）（１１）とを締結しているリベット止め装置（１２）は、すべて同じ構成であり、図２および図３を参照して、第２足場板構成部材（３）の形材（９）とカバー（１０）とを締結しているリベット止め装置（１２）について説明する。
【００２６】
リベット止め装置（１２）は、第１の部材としての形材（９）と第２の部材としてのカバー（１０）とを締結するもので、リベット（１３）と、形材（９）およびカバー（１０）にそれぞれ設けられたリベット挿通用孔（１８）（１９）と、形材（９）およびカバー（１０）のうちのいずれか一方（この実施形態では形材（９））の反重ね側面（すなわち、形材（９）の上壁の下面および下壁の上面のそれぞれ）のリベット挿通用孔（１８）周縁に設けられかつリベット（１３）の塑性変形させられた軸部（２１ａ）に係合する凸部（２０）とからなる。
【００２７】
形材（９）の凸部（２０）は、押出方向（長さ方向）の全長にわたって設けられており、リベット挿通用孔（１８）を長さ方向任意の位置に設けた場合に、常にリベット挿通用孔（１８）周縁に凸部（２０）が存在するようになっている。
【００２８】
リベット（１３）は、軸部（２１ａ）およびその一端部に設けられたフランジ部（２１ｂ）からなるアルミニウム製中空状リベット本体（２１）と、リベット本体（２１）の他端部に当接するフランジ部（２２ａ）を有しリベット本体（２１）に挿通されたアルミニウム製マンドレル（２２）とからなり、リベット本体（２１）のフランジ部（２１ｂ）をカバー（１０）の上面に押し付けた状態でマンドレル（２２）の軸部（２２ｂ）を上方に引き上げることにより、リベット本体（２１）とマンドレル（２２）との間に作用する力が所定値を越えた際に、マンドレル（２２）がリベット本体（２１）内にある環状溝（図示略）の部分で破断するとともに、リベット本体（２１）のフランジ部（２１ｂ）と塑性変形させられた軸部（２１ａ）とによって被締結部材が固着されるブラインドリベットとされている。
【００２９】
上記の伸縮足場板（１）によると、新品時には、各足場板構成部材（２）（３）の各形材（６）（６Ａ）（９）（９Ａ）の上下壁と各カバー（７）（１０）の上下壁とおよび各足場板構成部材（２）（３）の各形材（６）（６Ａ）（９）（９Ａ）の上下壁と各枠部材（８）（１１）の上下壁とは、形材（６）（６Ａ）（９）（９Ａ）の凸部（２０）付近にリベット止め時の力が集中することによって、リベット挿通用孔（１８）周縁の締結力が大きくなり、強固に固定されている。そして、リベット止め部分に繰り返し力が掛かると、リベット（１３）の軸方向の力が次第に減少し、従来のリベット止めでは、リベットの軸を中心とする部材間の回転を阻止することができなくなっていたが、このリベット止め装置（１２）によると、形材（６）（６Ａ）（９）（９Ａ）の凸部（２０）とリベット本体（２１）の軸部（２１ａ）とが係合していることにより、このような回転が防止される。この結果、長期間繰り返し使用しても、形材（６）（６Ａ）（９）（９Ａ）同士の平行が常に保持され、足場板構成部材（２）（３）が平行を保ったまま足場板全体が横方向に大きく揺れることもない。
【００３０】
なお、図１には、各足場板構成部材（２）（３）の各形材（６）（６Ａ）（９）（９Ａ）の上下壁と各カバー（７）（１０）の上下壁とおよび各足場板構成部材（２）（３）の各形材（６）（６Ａ）（９）（９Ａ）の上下壁と各枠部材（８）（１１）の上下壁とのリベット止めがそれぞれ１列だけで行われている例を示しているが、各足場板構成部材（２）（３）の各形材（６）（６Ａ）（９）（９Ａ）の上下壁と各カバー（７）（１０）の上下壁とのリベット止めをそれぞれ２列で行い、回転防止効果をより高めるようにしてももちろんよい。
【００３１】
また、上記においては、伸縮足場板（１）を例にとってリベット止め装置（１２）を説明したが、上記リベット止め装置（１２）は、伸縮足場板（１）以外の種々の部材同士の締結に使用することが可能である。
【図面の簡単な説明】
【図１】この発明による伸縮足場板を概略的に示す斜視図である。
【図２】この発明によるリベット止め装置の分解斜視図である。
【図３】この発明によるリベット止め装置の拡大断面図である。
【符号の説明】
（１）        伸縮足場板
（２）        第１足場板構成部材
（３）        第２足場板構成部材
（６）（６Ａ）    形材
（７）（１０）    カバー
（８）（１１）    枠部材
（９）（９Ａ）    形材
（１２）      リベット止め装置
（１３）      ブラインドリベット（リベット）
（１８）（１９）  リベット挿通用孔
（２０）      凸条
（２１）      リベット本体
（２１ａ）      軸部
（２１ｂ）      フランジ部
（２２）      マンドレル
（２２ａ）      フランジ部
【図１】
2004316706.tif 000003
【図２】
2004316706.tif 000004
【図３】
2004316706.tif 000005